(57)【特許請求の範囲】
【請求項１】
通水性がよい布よりなる粉石鹸用の収納袋であって、前記布は、粉石鹸の粒を通さない程度の布目を有する表面部材と、同じく粉石鹸の粒を通さない程度の布目を有する裏面部材と、粉石鹸の粒を通さない程度の間隙を有し、前記表面部材と裏面部材とを連結する綿状の中間部材とからなる三層構造とし、かつ前記収納袋は、長丸形状に裁断された底部片と三日月形に裁断された２枚の上部片とで構成し、前記底部片と２枚の上部片との各辺同士を内側に折り曲げて縫い合わせることにより形成され、前記収納袋の袋口をなすファスナが当該収納袋の稜部に設けられていることを特徴とする粉石鹸収納袋。
【発明の詳細な説明】
【０００１】
【産業上の利用分野】
本発明は、溶けきらない粉石鹸が洗濯物に付着してしまうのを防止するために用いられる粉石鹸収納袋に関する。特に、粉石鹸が布目を通して袋の外にこぼれてしまうのを防止することができる粉石鹸収納袋に関するものである。
【０００２】
【従来の技術】
従来、粉石鹸収納袋は、種々のものが製造され販売されている。
【０００３】
図６は実開平４−１２５８８９号公報に開示された粉石鹸収納袋を示す斜視図である。この粉石鹸収納袋は、胴部１ａと、蓋部１ｂと、底部１ｃとからなる筒型に縫製されている。
【０００４】
胴部１ａ、蓋部１ｂ、底部１ｃは、いずれも、粉石鹸の粒より小さな複数の穴からなるナイロンやポリエステルあるいはポリプロピレンなどの化学繊維のネットにより形成されている。
【０００５】
２は、胴部１ａと蓋部１ｂとの接続部分に設けられた開閉自在なファスナーであり、収納袋の袋口を形成している。
【０００６】
このような粉石鹸収納袋は次のようにして使用する。まず、ファスナー２を操作して袋口を開き、収納袋内に必要量の粉石鹸を入れる。次いで、袋口を閉じ、洗濯物と一緒に収納袋を洗濯機に投入する。収納袋が洗濯機に投入されると、収納袋に収納された粉石鹸が、洗濯槽の水に溶けて洗濯槽内に溶出する。
【０００７】
【発明が解決しようとする課題】
上述した従来の粉石鹸収納袋には、次のような問題があった。
【０００８】
収納袋は、粉石鹸の粒より小さな複数の穴からなるナイロン等の化学繊維で構成されていたが、一重構造であったため、どうしても粉石鹸の細かい粒がネットの穴を通ってネットの外へこぼれてしまうことがあるという問題があった。
【０００９】
また、従来の収納袋は洗濯槽内で揉まれると、形が崩れやすく、もとの形に戻りにくかった。このため、袋内の良好な水流を確保することができず、粉石鹸の溶け残りが生じるという問題があった。
【００１０】
本発明の目的は、袋内に収納された粉石鹸が布目を通って袋の外にこぼれてしまうのを確実に防止することができ、しかも、袋内の良好な水流を確保することができて粉石鹸の溶け残りを防止することができる粉石鹸収納袋を提供することにある。
【００１１】
【課題を解決するための手段】
上記の目的を達成するために請求項１記載の粉石鹸収納袋は、通水性がよい布よりなる粉石鹸用の収納袋であって、前記布は、粉石鹸の粒を通さない程度の布目を有する表面部材と、同じく粉石鹸の粒を通さない程度の布目を有する裏面部材と、粉石鹸の粒を通さない程度の間隙を有し、前記表面部材と裏面部材とを連結する綿状の中間部材とからなる三層構造とし、かつ前記収納袋は、長丸形状に裁断された底部片と三日月形に裁断された２枚の上部片とで構成し、前記底部片と２枚の上部片との各辺同士を内側に折り曲げて縫い合わせることにより形成され、前記収納袋の袋口をなすファスナが当該収納袋の稜部に設けられていることを特徴とする。
【００１４】
【作用効果】
請求項１記載の粉石鹸収納袋によれば、収納袋に用いられる布が、粉石鹸の粒を通さない程度の布目を有する表面部材と、同じく粉石鹸の粒を通さない程度の布目を有する裏面部材と、粉石鹸の粒を通さない程度の間隙を有し、表面部材と裏面部材とを連結する綿状の中間部材とからなる三層構造となっているので、収納袋に収納された粉石鹸は、これら表面部材、中間部材、さらに裏面部材を通過しなければ袋外に漏れないこととなる。したがって、布目より細かい粉石鹸の粒であっても、袋の外に極めてこぼれにくくなるという効果が得られる。
特に、中間部材は綿状となっているので、仮に、細かい粉石鹸の粒が表面部材を通過してきたとしても、その大部分がこの中間部材のところで綿毛の間に引っ掛かかり、保持されることなる。なお、仮に細かい粉石鹸の粒がこの中間部材をも通過したとしても、その粒は、次の裏面部材で保持されることとなる。したがって、最終的に袋の外へこぼれ落ちる粉石鹸は全くなくなるか、仮にあったとしてもその量は、極めて少ないものとなる。
しかも、綿毛の間に保持された粉石鹸は、粒が細かいので、収納袋が洗濯槽内に投入されると、いち早く溶け出し、石鹸水として洗濯槽内へ溶出する。したがって、効率よく石鹸水が得られることにもなる。
一方、綿状の中間部材は表面部材と裏面部材とを連結しているので、布にはある程度の弾力性と剛性とが備わっている。
これにより、収納袋は、洗濯槽内で揉まれても形が崩れにくいと同時に、形が崩れたときでも元の形に戻りやすいという特性を有することとなる。
このような収納袋の特性により、洗濯中は、収納袋の形が崩れたり、元に戻ったりということが繰り返し行なわれることとなるので、袋内に収納されている粉石鹸がもまれやすくなる。
したがって、石鹸水が洗濯槽内へ一層良好に溶出しやすくなり、粉石鹸の溶け残りが一層生じにくいという効果が得られる。
請求項２記載の粉石鹸収納袋は、請求項１記載の粉石鹸収納袋において、収納袋が、長丸形状に裁断された底部片と三日月形に裁断された２枚の上部片とから構成されているので、全体形状は細長いものとなり、その断面は小さいものとなる。
このような形状と、収納袋を構成している布が弾力性と剛性とを併せ備えいることとの相乗効果により、収納袋は洗濯槽内で揉まれやすくなると同時に、揉まれても元の形に戻りやすく、したがって、粉石鹸の溶け残りが一層生じにくくなる。
しかも、収納袋は、底部片と２枚の上部片との各辺同士を内側に折り曲げて縫い合わせることにより形成されているので、各片同士はその弾力性によって袋の中心部から袋の外側に向けて膨らむこととなり、外部からの圧力に対する復元力が一層高いものとなる。
これにより、収納袋は洗濯槽内で揉まれて形が崩れても、元の形に一層戻りやすくなる。したがって、袋内の良好な水流が確保され、粉石鹸の溶け残りがより一層生じにくくなるという効果が得られる。
また、収納袋の上記形状と収納袋を構成している布が弾力性と剛性とを併せ備えいることとの相乗効果により、縫い合わせ部分となる収納袋の角部は丸く形成されることとなるので、この部分に粉石鹸が溜まりにくくなるという効果も得られる。
請求項３記載の粉石鹸収納袋によれば、請求項２記載の粉石鹸収納袋において、収納袋の袋口をなすファスナーが収納袋の稜部に設けられているので、収納袋の保形性が高められることとなり、外部からの圧力に対する復元力も一層高いものとなる。
したがって、袋内の良好な水流を確保することができ、粉石鹸の溶け残りが一層生じにくくなるという効果が得られる。
また、ファスナーが収納袋の稜部に設けられているので、一端をつかんで一気に開けることができる。しかも、ファスナーが収納袋の稜部に設けられていることにより、袋口は大きいものとなるので、粉石鹸も投入しやすいという利点が得られる。
さらに、収納袋のひとつの稜部がファスナーとなるので、縫製しやすいという利点も得られる。
【００１５】
【実施例】
以下、本発明の一実施例について図面を参照して説明する。
【００１６】
図１は本発明に係る粉石鹸収納袋の一実施例を示す図で、（ａ）は正面図、（ｂ）は平面図、（ｃ）は底面図、（ｄ）は左側面図、（ｅ）は右側面図である。図２は同じく展開図である。
【００１７】
これらの図面において、１は収納袋であり、略長丸形の底部片２ａと２枚の三日月（厳密には居待ち月至乃寝待ち月）形の上部片３ａとから構成されている。これら底部片２ａと２枚の上部片３ａの縁部２ｂ，３ｂ同士は、図５に示すように、内側に折り曲げられて、その上からバイアステープ８が当てられて縫い付けられている。
【００１８】
このような収納袋１は、図１（ａ）に示すように、正面視略コッペパン形に形成されている。
【００１９】
底部片２ａおよび上部片３ａは、いずれも、図４に示すように、表面部材４，中間部材５，裏面部材６からなる三層構造の、通水性のよい材質の布により形成されている。
【００２０】
表面部材４および裏面部材６は、粉石鹸の粒を通さない程度の布目Ｓを備えている。表面部材４と裏面部材６とは、若干の間隔を隔てて配置され、粉石鹸の粒を通さない程度の間隙Ｓ’を備えた綿状の中間部材５によって連結されている。これにより、表面部材４，中間部材５，裏面部材６からなる布は、外部からの圧力等に対して一定の剛性と弾力性とを併せ備えた構造のものとなっている。
【００２１】
さらに、請求項１記載の粉石鹸収納袋は、収納袋が、長丸形状に裁断された底部片と三日月形に裁断された２枚の上部片とから構成されているので、全体形状は細長いものとなり、その断面は小さいものとなる。
【００２２】
図１（ａ）〜（ｄ）において、９はゴムバンドからなるつまみ収容部であり、ファスナー７のつまみ７ａを収容するようになっている。図１（ａ）〜（ｃ）、（ｅ）において、１０は洗濯機回りのフック等に収納袋１を引っ掛るためのストラップである。
【００２３】
次に、このような粉石鹸収納袋の使用方法について説明する。
【００２４】
図３に示すように、収納袋１のファスナー７を開け、袋口を左右方向（図中矢印Ｘ方向）に開ける。ファスナー７は収納袋１の稜部に設けられているので、収納袋１の形状が細長いものとなっているにもかかわらず袋口を大きく開くことができる。したがって、粉石鹸を投入しやすく、粉石鹸が袋口からこぼれにくい。
【００２５】
その後、ファスナー７を閉じて、洗濯機に投入する。これにより、収納袋が揉まれ、袋内に収納された粉石鹸が溶出して石鹸水が得られる。
【００２６】
さらにまた、請求項１記載の粉石鹸収納袋によれば、収納袋の袋口をなすファスナが収納袋の稜部に設けられているので、収納袋の保形性が高められることとなり、外部からの圧力に対する復元力も一層高いものとなる。
【００２７】
以上、本発明の実施例について説明したが、本考案は上記実施例に限定されるものではなく、本考案の要旨の範囲内において適宜変形実施可能である。
【図面の簡単な説明】
【図１】本発明に係る粉石鹸収納袋の第１実施例を示す図で、（ａ）は正面図、（ｂ）は平面図、（ｃ）は底面図、（ｄ）は左側面図、（ｅ）は右側面図。
【図２】同じく展開図。
【図３】粉石鹸を入れるときの説明図。
【図４】布の部分拡大斜視図。
【図５】図１（ａ）のＶ−Ｖ線拡大端面図。
【図６】従来の粉石鹸収納袋の斜視図。
【符号の説明】
１    収納袋
２ａ  底部片
３ａ  上部片
４    表面部材
５    中間部材
６    裏面部材
７    ファスナー
Ｂ    粉石鹸の細かい粒
Ｓ    布目
Ｓ’  間隙
【図１】
0003761597.tif 000002
【図２】
0003761597.tif 000003
【図３】
0003761597.tif 000004
【図４】
0003761597.tif 000005
【図５】
0003761597.tif 000006
【図６】
0003761597.tif 000007